(57)【要約】【課題】画像読み取り手段が読み取った画像データを他の機器において適合するように自動的に変換することができ、ユーザが変換の仕方を設定する必要がなく、短時間で、かつ、容易に画像データを着脱可能な記憶媒体に保存することができるようにする。【解決手段】画像読み取り手段と、着脱可能な記憶媒体と、前記画像読み取り手段が読み取った画像データを前記記憶媒体に記憶させる制御手段とを有する画像入力装置であって、前記記憶媒体にあらかじめ記憶された画像形式情報の解析を行うデータ解析手段と、該データ解析手段の解析結果に基づいて、前記画像読み取り手段が読み取った画像データの変換を行うデータ変換手段とを有し、前記制御手段は、前記データ変換手段によって変換された画像データを前記記憶媒体に記憶させる。【選択図】図１
2005191771.tif 000002
【特許請求の範囲】
【請求項１】
（ａ）画像読み取り手段と、
（ｂ）着脱可能な記憶媒体と、
（ｃ）前記画像読み取り手段が読み取った画像データを前記記憶媒体に記憶させる制御手段とを有する画像入力装置であって、
（ｄ）前記記憶媒体にあらかじめ記憶された画像形式情報の解析を行うデータ解析手段と、
（ｅ）該データ解析手段の解析結果に基づいて、前記画像読み取り手段が読み取った画像データの変換を行うデータ変換手段とを有し、
（ｆ）前記制御手段は、前記データ変換手段によって変換された画像データを前記記憶媒体に記憶させることを特徴とする画像入力装置。
【請求項２】
前記画像形式情報はファイル形式を表す請求項１に記載の画像入力装置。
【請求項３】
前記画像形式情報は色数を表す請求項１に記載の画像入力装置。
【請求項４】
前記画像形式情報は画像サイズを表す請求項１に記載の画像入力装置。
【請求項５】
前記画像形式情報はカラー混合色を表す請求項１に記載の画像入力装置。
【請求項６】
前記制御手段は、前記データ解析手段の解析結果を画像形式情報専用ファイルとして前記記憶媒体に記憶させる請求項１〜５のいずれか１項に記載の画像入力装置。
【発明の詳細な説明】
【技術分野】
【０００１】
本発明は、画像入力装置に関するものである。
【背景技術】
【０００２】
従来、スキャナ装置等の画像を電子データとして入力する画像入力装置においては、画像読み取り手段が読み取った画像データをパーソナルコンピュータ、プリンタ等の他の機器において表示したり、印刷したりして利用することができるように、前記画像データをメモリカード等の着脱可能な記憶媒体に記憶させて保存するようになっている（例えば、特許文献１参照。）。
【０００３】
この場合、前記画像入力装置においては、読み取り対象である原稿等を画像読み取り手段としてのラインイメージセンサによって走査して読み取り、読み取った画像データをあらかじめ設定されたファイル形式にフォーマットし、フォーマット化された画像データを前記記憶手段に記憶させて保存する。ここで、前記ファイル形式は、パーソナルコンピュータ、プリンタ等の他の機器において利用可能なもの、すなわち、他の機器との互換性を備えたものである。そのため、前記記憶手段をパーソナルコンピュータ、プリンタ等の他の機器に装着することによって、保存された画像データを前記記憶手段から読み出して、表示手段に表示させたり、印刷媒体に印刷したりすることができる。
【特許文献１】特開２００２−１００２５号公報
【発明の開示】
【発明が解決しようとする課題】
【０００４】
しかしながら、前記従来の画像入力装置においては、画像データを記憶手段に記憶させて保存する際に、ユーザがファイル形式を指定して設定するようになっている。そのため、画像データの取り扱いに慣れていないユーザの場合、前記ファイル形式の設定に手間取ってしまい、画像データを記憶手段に保存するために時間がかかってしまう。
【０００５】
また、例えば、前記記憶手段をカメラ付き携帯電話機に装着することによって、保存された画像データを前記カメラ付き携帯電話機の表示手段に表示させたりする場合、一般的に、スキャナ装置等の画像入力装置にはカメラ付き携帯電話機で使用するファイル形式が用意されていないので、ファイル形式を設定することができない。この場合、まず、前記画像入力装置を使用して、前記画像データをパーソナルコンピュータで利用可能なファイル形式にフォーマット化して記憶手段に保存し、続いて、前記パーソナルコンピュータと画像データ変換ソフトとを用いて、前記記憶手段に保存された画像データをカメラ付き携帯電話機で使用するファイル形式に変換する必要がある。そのため、前記画像データをカメラ付き携帯電話機の表示手段に表示させたりする場合には、長時間かかってしまい、また、ユーザは煩わしく感じてしまう。
【０００６】
本発明は、前記従来の画像入力装置の問題点を解決して、着脱可能な記憶媒体に記憶された画像データの画像形式情報を読み取り、画像読み取り手段が読み取った画像データを前記画像形式情報に適合する形式に変換するようにして、画像読み取り手段が読み取った画像データを他の機器において適合するように自動的に変換することができ、ユーザが変換の仕方を設定する必要がなく、短時間で、かつ、容易に画像データを着脱可能な記憶媒体に保存することができる画像入力装置を提供することを目的とする。
【課題を解決するための手段】
【０００７】
そのために、本発明の画像入力装置においては、画像読み取り手段と、着脱可能な記憶媒体と、前記画像読み取り手段が読み取った画像データを前記記憶媒体に記憶させる制御手段とを有する画像入力装置であって、前記記憶媒体にあらかじめ記憶された画像形式情報の解析を行うデータ解析手段と、該データ解析手段の解析結果に基づいて、前記画像読み取り手段が読み取った画像データの変換を行うデータ変換手段とを有し、前記制御手段は、前記データ変換手段によって変換された画像データを前記記憶媒体に記憶させる。
【発明の効果】
【０００８】
本発明によれば、着脱可能な記憶媒体に記憶された画像データの画像形式情報を読み取り、画像読み取り手段が読み取った画像データを前記画像形式情報に適合する形式に変換するようになっている。そのため、画像読み取り手段が読み取った画像データを他の機器において適合するように自動的に変換することができ、ユーザが変換の仕方を設定する必要がなく、短時間で、かつ、容易に画像データを着脱可能な記憶媒体に保存することができる。
【発明を実施するための最良の形態】
【０００９】
以下、本発明の実施の形態について図面を参照しながら詳細に説明する。
【００１０】
図１は本発明の第１の実施の形態におけるメモリカードが着脱可能なスキャナ装置及びカメラ付き携帯電話機の斜視図である。なお、図１（ａ）はスキャナ装置を示し、図１（ｂ）は図１（ａ）のＡ部拡大図であり、図１（ｃ）はカメラ付き携帯電話機を示している。
【００１１】
図において、１０は画像入力装置としてのスキャナ装置、２０は該スキャナ装置１０が読み取った画像データを利用する装置としてのカメラ付き携帯電話機である。なお、該カメラ付き携帯電話機２０は、画像入力装置としても機能することができるが、本実施の形態においては、スキャナ装置１０が読み取った画像データを利用する装置として機能する場合について説明する。
【００１２】
そして、前記スキャナ装置１０は、画像読み取り手段としてのＣＣＤ（Ｃｈａｒｇｅ  Ｃｏｕｐｌｅｄ  Ｄｅｖｉｃｅ：電荷結合素子）等のイメージセンサ、レンズ、画像が印刷された紙等の媒体、写真等の原稿を照らすランプ等を備え、原稿の画像を走査しながら読み取る装置である。ここで、前記スキャナ装置１０は、いかなる種類のスキャナであってもよく、例えば、シートフィードスキャナ、ハンディスキャナ、ドラムスキャナ等であるが、本実施の形態においては、説明の都合上、フラットベッドスキャナである場合について説明する。この場合、前記イメージセンサは後述される密着型イメージセンサ１１であり、原稿をガラス台上に載置し、前記密着型イメージセンサ１１を原稿に対して副走査方向に走査させて、前記原稿の画像を読み取るようになっている。なお、前記スキャナ装置１０がＡＤＦ（Ａｕｔｏ  Ｄｏｃｕｍｅｎｔ  Ｆｅｅｄｅｒ：自動原稿搬送装置）を有する場合には、搬送される原稿の画像を固定された密着型イメージセンサ１１によって読み取るようにすることもできる。また、前記スキャナ装置１０は、カラー原稿の読み取りが可能なカラースキャナであることが望ましいが、モノクロスキャナであってもよい。
【００１３】
そして、前記スキャナ装置１０は、図１（ａ）に示されるように、スタートボタンを含む押しボタン、タッチパネル等を備える操作部１７、及び、液晶ディスプレイ、ＬＥＤ（Ｌｉｇｈｔ  Ｅｍｉｔｔｉｎｇ  Ｄｉｏｄｅ）ディスプレイ等の表示手段としての表示部１８を有する。さらに、前記スキャナ装置１０は、図１（ｂ）に示されるように、着脱可能な記憶媒体としてのメモリカード１４が矢印で示される方向に挿入されて装着されるカードスロット１４ａを有する。なお、前記着脱可能な記憶媒体は、いかなる種類の記憶媒体であってもよく、例えば、磁気テープ、磁気ディスク、磁気ドラム、ＣＤ−Ｒ／Ｗ、ＭＤ、ＤＶＤ−ＲＡＭ、ＤＶＤ−Ｒ／Ｗ、光ディスク、ＭＯ、光カード、棒状メモリ等であってもよいが、本実施の形態においては、メモリカード１４である場合について説明する。さらに、該メモリカード１４は、例えば、コンパクトフラッシュ（Ｒ）であるが、不揮発性のメモリを内蔵したものであれば、いかなる種類のものであってもよい。
【００１４】
また、前記カメラ付き携帯電話機２０は、プロセッサ等の演算装置、半導体メモリ、磁気ディスク、光ディスク等の記憶装置、液晶ディスプレイ、ＬＥＤディスプレイ等から成る表示手段としての表示部２１、スピーカ等の音声出力手段、マイクロホン等の音声入力手段、キーボード、ジョイスティック、十字キー、押しボタン、リモートコントローラ、タッチパネル等の入力手段としての操作部２２、及び、通信インターフェイス、アンテナ等の通信装置、レンズ、及び、ＣＣＤ等の撮像素子を備える。さらに、前記カメラ付き携帯電話機２０は、着脱可能な記憶媒体としての前記メモリカード１４が矢印で示される方向に挿入されて装着される図示されないカードスロットを有する。そして、前記カメラ付き携帯電話機２０は、前記メモリカード１４に保存された画像データを読み出して表示部２１に表示することができるようになっている。なお、該表示部２１は、カラー画像の表示が可能なカラーディスプレイであることが望ましいが、モノクロディスプレイであってもよい。
【００１５】
次に、前記スキャナ装置１０の構成について詳細に説明する。
【００１６】
図２は本発明の第１の実施の形態におけるスキャナ装置の構成を示すブロック図である。                                                                                    
【００１７】
図２に示されるように、前記スキャナ装置１０は、画像を電気的信号に変換する画像読み取り手段としての密着型イメージセンサ１１、画像データ等を記憶する半導体メモリとしてのＲＡＭ（Ｒａｎｄａｍ  Ａｃｃｅｓｓ  Ｍｅｍｏｒｙ）１２、データ変換手段としての画像処理ＬＳＩ１３、記憶手段としての着脱可能なメモリカード１４、プログラム等を記憶する半導体メモリとしてのＲＯＭ（Ｒｅａｄ  Ｏｎｌｙ  Ｍｅｍｏｒｙ）１５、スキャナ装置１０全体の動作を制御する制御手段としてのＣＰＵ１６、ユーザがスキャナ動作の開始及び停止の操作を行う操作部１７、並びに、スキャナ装置１０の状態を表示する表示部１８を有する。なお、前記密着型イメージセンサ１１、ＲＡＭ１２、画像処理ＬＳＩ１３、メモリカード１４、ＲＯＭ１５、ＣＰＵ１６、操作部１７及び表示部１８は、バス１９を介して相互に通信可能に接続されている。
【００１８】
ここで、前記ＲＡＭ１２は、前記密着型イメージセンサ１１が読み取った画像データを少なくとも原稿１ページ分以上記憶することができる記憶容量を備える。また、前記画像処理ＬＳＩ１３は、画像処理を行うプロセッサであり、前記ＲＡＭ１２に記憶された画像データの圧縮や変換を行うことができる。そして、前記ＣＰＵ１６は、前記ＲＯＭ１５に記憶されているプログラムに含まれる命令に従って作動するプロセッサであり、前記メモリカード１４の読み取り制御及び書き込み制御、前記密着型イメージセンサ１１の読み取り制御、前記ＲＡＭ１２の読み取り制御及び書き込み制御、並びに、前記画像ＬＳＩ１３の画像圧縮変換制御を行う。さらに、前記ＣＰＵ１６は、データ解析手段として機能し、前記メモリカード１４にあらかじめ記憶されている画像データのファイル形式の解析を行う。
【００１９】
ところで、画像データのファイル形式としては、多数のファイル形式が規格化又は標準化されており、例えば、ＪＰＥＧ（Ｊｏｉｎｔ  Ｐｈｏｔｏｇｒａｐｈｉｃ  Ｅｘｐｅｒｔ  Ｇｒｏｕｐ）、ＴＩＦＦ（Ｔａｇ  Ｉｍａｇｅ  Ｆｉｌｅ  Ｆｏｒｍａｔ）等のファイル形式が広く使用されている。そして、これ以外にも多数のファイル形式が存在し、前記スキャナ装置１０において、すべてのファイル形式をサポートするのは事実上不可能である。そこで、本実施の形態においては、前記スキャナ装置１０がサポートするファイル形式をあらかじめ定めておき、画像処理ＬＳＩ１３が画像データをあらかじめ定められたファイル形式に変換することができるようになっている。
【００２０】
次に、前記構成のスキャナ装置１０の動作について説明する。まず、あらかじめメモリカード１４に記憶されている画像ファイルの画像形式情報を解析し、密着型イメージセンサ１１が読み取った画像データをメモリカード１４に保存する際のファイル形式、色数、画像サイズ及びカラー混合色を設定する動作について説明する。この場合、前記カメラ付き携帯電話機２０の撮像素子が撮影した画像データが、あらかじめメモリカード１４に画像ファイルとして保存されているものとする。
【００２１】
図３は本発明の第１の実施の形態におけるスキャナ装置の設定の動作を示すフローチャートである。
【００２２】
まず、ＣＰＵ１６は、メモリカード１４がスキャナ装置１０に装着されたか否かを確認する。そして、メモリカード１４がスキャナ装置１０に装着されたことを確認すると、前記ＣＰＵ１６は  前記メモリカード１４に記憶された画像ファイルの画像形式情報の解析を開始する。なお、前記ＣＰＵ１６は、メモリカード１４が装着されるまで前述されたメモリカード１４を確認する動作を繰り返して行う。
【００２３】
次に、前記ＣＰＵ１６は、前記メモリカード１４に記憶されている画像ファイルのファイル形式がスキャナ装置１０がサポートしているファイル形式であることを確認する。そして、前記画像ファイルのファイル形式がスキャナ装置１０がサポートしていないファイル形式である場合、前記ＣＰＵ１６は表示部１８にアラーム表示を出してアラーム終了する。
【００２４】
また、前記画像ファイルの画像形式情報としてのファイル形式が、スキャナ装置１０がサポートしているファイル形式であることを確認した場合、前記ＣＰＵ１６は、密着型イメージセンサ１１が読み取った画像データを前記画像ファイルのファイル形式と同一のファイル形式へ変換して、メモリカード１４に保存することに決定する。例えば、前記スキャナ装置１０がサポートしているファイル形式にＪＰＥＧ形式が含まれ、かつ、メモリカード１４に記憶されている画像ファイルのファイル形式がＪＰＥＧ形式であった場合、密着型イメージセンサ１１が読み取った画像データをメモリカード１４に保存する際のファイル形式はＪＰＥＧ形式になる。
【００２５】
続いて、前記ＣＰＵ１６は  前記メモリカード１４に記憶された画像ファイルの画像形式情報をさらに解析し、使用可能な色数を調べる。そして、前記ＣＰＵ１６は、その結果に基づいて、密着型イメージセンサ１１が読み取った画像データをメモリカード１４に保存する際の色数を決定する。例えば、メモリカード１４に記憶されている画像ファイルの画像形式情報を解析した結果、使用可能な色数が８ビット色（２５６色）であった場合、密着型イメージセンサ１１が読み取った画像データをメモリカード１４に保存する際の色数は、８ビット色（２５６色）になる。ところで、一般的に、画像データの色数は、１ビット色（白黒）、４ビット色（１６色）、８ビット色（２５６色）、１６ビット色（６５５３６色）、及び、２４ビット色（１６７７７２１６色）である。
【００２６】
続いて、前記ＣＰＵ１６は  前記メモリカード１４に記憶された画像ファイルの画像形式情報をさらに解析し、画像サイズを調べる。そして、前記ＣＰＵ１６は、その結果に基づいて、密着型イメージセンサ１１が読み取った画像データをメモリカード１４に保存する際の画像サイズを決定する。例えば、メモリカード１４に記憶されている画像ファイルの画像形式情報を解析した結果、画像サイズが６４０＊４８０ピクセル（画素）であった場合、密着型イメージセンサ１１が読み取った画像データをメモリカード１４に保存する際の画像サイズは６４０＊４８０ピクセルになる。
【００２７】
続いて、前記ＣＰＵ１６は  前記メモリカード１４に記憶された画像ファイルの画像形式情報をさらに解析し、カラー混合色を調べる。そして、前記ＣＰＵ１６は、その結果に基づいて、密着型イメージセンサ１１が読み取った画像データをメモリカード１４に保存する際のカラー混合色を決定し、設定を完了する。例えば、メモリカード１４に記憶されている画像ファイルの画像形式情報を解析した結果、カラー混合色がＲＧＢであった場合、密着型イメージセンサ１１が読み取った画像データをメモリカード１４に保存する際のカラー混合色はＲＧＢになる。ところで、一般的に、カラー混合色の種類にはＲＧＢとＭＹＫとがある。
【００２８】
このように、前記ＣＰＵ１６は  前記メモリカード１４に記憶された画像ファイルの画像形式情報を解析し、密着型イメージセンサ１１が読み取った画像データをメモリカード１４に保存する際のファイル形式、色数、画像サイズ及びカラー混合色の設定を決定するようになっている。これにより、密着型イメージセンサ１１が読み取った画像データは、例えば、ファイル形式はＪＰＥＧ、色数は８ビット色（２５６色）、サイズは６４０＊４８０ピクセル、カラー混合色はＲＧＢという設定で、メモリカード１４に保存される。
【００２９】
次に、フローチャートについて説明する。
ステップＳ１  メモリカード１４がスキャナ装置１０に装着されたか否かを確認する。装着された場合はステップＳ２に進み、装着されない場合は装着されるまで待機する。
ステップＳ２  メモリカード１４に記憶された画像形式情報の解析を開始する。
ステップＳ３  サポートしているファイル形式であるか否かを確認する。サポートしているファイル形式でない場合はステップＳ４に進み、サポートしているファイル形式である場合はステップＳ５に進む。
ステップＳ４  アラーム表示を出し、アラーム終了する。
ステップＳ５  メモリカード１４に保存する際のファイル形式を決定する。
ステップＳ６  画像形式情報を解析し、保存する際の色数を決定する。
ステップＳ７  画像形式情報を解析し、保存する際の画像サイズを決定する。
ステップＳ８  画像形式情報を解析し、保存する際のカラー混合色を決定して設定を完了する。
【００３０】
次に、前記密着型イメージセンサ１１が読み取った画像データをメモリカード１４に保存する際のファイル形式、色数、画像サイズ及びカラー混合色の設定が完了して待機状態になっているスキャナ装置１０において、ユーザが原稿をスキャナ装置１０にセットしてから原稿の画像データがメモリカード１４に保存されるまでの動作について説明する。
【００３１】
図４は本発明の第１の実施の形態における画像データをメモリカードに保存する動作を示すフローチャートである。
【００３２】
まず、スキャナ装置１０が待機状態を継続している間、ＣＰＵ１６は、操作部１７のスタートボタンが押下されたか否かを判断する。そして、スタートボタンが押下されたことを確認すると、ＣＰＵ１６は、密着型イメージセンサ１１による原稿の画像の読み取り動作を開始させる。なお、前記ＣＰＵ１６は、スタートボタンが押下されるまで、前述されたスタートボタンの押下を確認する動作を繰り返して行う。また、密着型イメージセンサ１１が読み取った画像データは、ＲＡＭ１２に転送されて記憶される。
【００３３】
次に、前記ＣＰＵ１６は、原稿の画像の読み取りが完了したことを確認する。そして、原稿の画像の読み取りが完了すると、画像処理ＬＳＩ１３は、ＲＡＭ１２に記憶されている密着型イメージセンサ１１が読み取った画像データの変換を行う。この場合、該画像データは、設定されたファイル形式、色数、画像サイズ及びカラー混合色になるように変換される。なお、原稿の画像の読み取りが完了していない場合、前記ＣＰＵ１６は、原稿の読み取りが完了するまで、密着型イメージセンサ１１による原稿の画像の読み取り動作を継続させる。
【００３４】
続いて、前記ＣＰＵ１６は、画像処理ＬＳＩ１３によって変換された画像データをメモリカード１４に転送して保存し、処理を終了する。これにより、前記画像データは、ファイル形式はＪＰＥＧ、色数は８ビット色（２５６色）、サイズは６４０＊４８０ピクセル、カラー混合色はＲＧＢという設定で、メモリカード１４に保存される。
【００３５】
そして、ユーザが前記メモリカード１４をスキャナ装置１０から取り外し、カメラ付き携帯電話機２０に装着すると、該カメラ付き携帯電話機２０の表示部２１に、前記原稿の画像を表示させることができる。
【００３６】
次に、フローチャートについて説明する。
ステップＳ１１  スタートボタンが押下されたか否かを確認する。押下された場合はステプＳ１２に進み、押下されない場合は待機する。
ステップＳ１２  密着型イメージセンサ１１による原稿の画像の読み取りを開始する。
ステップＳ１３  原稿の画像の読み取りが完了したか否かを確認する。原稿の画像の読み取りが完了した場合はステップＳ１４に進み、原稿の画像の読み取りが完了するまで読み取りを続ける。
ステップＳ１４  画像データを設定されたファイル形式、色数、画像サイズ及びカラー混合色になるように変換する。
ステップＳ１５  変換されたデータをメモリカード１４に保存して処理を終了する。
【００３７】
このように、本実施の形態においては、スキャナ装置１０の読み取り手段としての密着型イメージセンサ１１が読み取った画像データを着脱可能な記憶媒体としてのメモリカード１４に保存する際のファイル形式、色数、画像サイズ及びカラー混合色の設定を自動的に決定するようになっている。この場合、あらかじめメモリカード１４に保存されている画像ファイルの画像形式情報を解析して、前記ファイル形式、色数、画像サイズ及びカラー混合色の設定を決定する。そのため、ユーザは、密着型イメージセンサ１１が読み取った画像データをメモリカード１４に保存する際に、ファイル形式、色数、画像サイズ及びカラー混合色の設定を行う必要がない。また、ユーザが、パーソナルコンピュータ、画像変換ソフトウェア等を使用して、前記画像データをカメラ付き携帯電話機２０に適したファイル形式、色数、画像サイズ及びカラー混合色に変換する必要もない。したがって、短時間で、かつ、容易に画像データをメモリカード１４に保存することができる。
【００３８】
次に、本発明の第２の実施の形態について説明する。なお、第１の実施の形態と同じ構成を有するものは、同じ符号を付与することによってその説明を省略する。また、前記第１の実施の形態と同じ動作及び同じ効果についても、その説明を省略する。
【００３９】
本実施の形態においては、前記第１の実施の形態において説明した動作において、画像ファイルの画像形式情報の解析結果を画像形式情報専用ファイルとしてメモリカード１４に保存する場合の動作について説明する。具体的には、メモリカード１４に保存されているファイルの中に画像形式情報専用ファイルがあるか否かを確認し、ある場合には、画像形式情報専用ファイルの内容を参照して画像形式情報を得るようになっている。
【００４０】
例えば、画像形式情報専用ファイルのファイル名をＣＯＮＦ．ＳＹＹとし、前記画像形式情報専用ファイルの内容を、次の文例（１）のように、数バイトで作成可能なテキストファイルとすることで実現される。
ＦＩＬＥ＝ＪＰＧ，ＣＯＬＯＲ＝２５６，ＳＩＺＥ＝６４０＊４８０，ＣＯＬＯＲＭＩＸ＝ＲＧＢ・・・文例（１）
なお、ＦＩＬＥは、ファイル形式を指定する文字列であり、イコールの右側はファイル形式名である。ここでは、ファイル形式として、ＪＰＥＧ形式が指定されている。また、ＣＯＬＯＲは、色数を指定する文字列であり、イコールの右側は色数である。さらに、ＳＩＺＥは、画像サイズを指定する文字列であり、イコールの右側は画像サイズである。さらに、ＣＯＬＯＲＭＩＸは、カラー混合色を指定する文字列であり、イコールの右側はカラー混合色である。
【００４１】
したがって、前記文例（１）の場合、ファイル形式はＪＰＥＧ、色数は８ビット色（２５６色）、サイズは６４０＊４８０ピクセル、カラー混合色はＲＧＢという設定になる。これは、前記第１の実施の形態において説明した動作において解析された設定と同一の設定を前記テキストファイル化したものとなっている。
【００４２】
次に、本実施の形態におけるスキャナ装置１０の動作について説明する。この場合、前記カメラ付き携帯電話機２０の撮像素子が撮影した画像データが、あらかじめメモリカード１４に画像ファイルとして保存されているものとする。
【００４３】
図５は本発明の第２の実施の形態における画像形式情報専用ファイルを利用した場合の動作を示すフローチャートである。
【００４４】
まず、ＣＰＵ１６は、メモリカード１４がスキャナ装置１０に装着されたか否かを確認する。そして、メモリカード１４がスキャナ装置１０に装着されたことを確認すると、前記ＣＰＵ１６は  前記メモリカード１４に記憶された画像ファイルの画像形式情報の解析を開始する。なお、前記ＣＰＵ１６は、メモリカード１４が装着されるまで前述されたメモリカード１４を確認する動作を繰り返して行う。
【００４５】
次に、前記ＣＰＵ１６は、前記メモリカード１４に記憶されているファイルの中に、ＣＯＮＦ．ＳＹＹファイルがあるか否かを確認する。ここで、ＣＯＮＦ．ＳＹＹファイルは画像形式情報専用ファイルである。そして、ＣＯＮＦ．ＳＹＹファイルがある場合、前記ＣＰＵ１６は、ＣＯＮＦ．ＳＹＹファイルの内容を参照して画像形式情報を得て、設定を完了する。例えば、ＣＯＮＦ．ＳＹＹファイルの内容が、ＦＩＬＥ＝ＪＰＧ，ＣＯＬＯＲ＝２５６，ＳＩＺＥ＝６４０＊４８０，ＣＯＬＯＲＭＩＸ＝ＲＧＢであると、前記ＣＰＵ１６は、ファイル形式はＪＰＥＧ、色数は８ビット色（２５６色）、サイズは６４０＊４８０ピクセル、カラー混合色はＲＧＢという設定を決定する。
【００４６】
また、メモリカード１４に保存されているファイルの中に、ＣＯＮＦ．ＳＹＹファイルがない場合、前記ＣＰＵ１６は、前記メモリカード１４に記憶されている画像ファイルのファイル形式がスキャナ装置１０がサポートしているファイル形式であることを確認する。そして、前記画像ファイルのファイル形式がスキャナ装置１０がサポートしていないファイル形式である場合、前記ＣＰＵ１６は表示部１８にアラーム表示を出してアラーム終了する。
【００４７】
また、前記画像ファイルの画像形式情報としてのファイル形式が、スキャナ装置１０がサポートしているファイル形式であることを確認した場合、前記ＣＰＵ１６は、密着型イメージセンサ１１が読み取った画像データを前記画像ファイルのファイル形式と同一のファイル形式へ変換して、メモリカード１４に保存することに決定する。例えば、前記スキャナ装置１０がサポートしているファイル形式にＪＰＥＧ形式が含まれ、かつ、メモリカード１４に記憶されている画像ファイルのファイル形式がＪＰＥＧ形式であった場合、密着型イメージセンサ１１が読み取った画像データをメモリカード１４に保存する際のファイル形式はＪＰＥＧ形式になる。
【００４８】
続いて、前記ＣＰＵ１６は  前記メモリカード１４に記憶された画像ファイルの画像形式情報をさらに解析し、使用可能な色数を調べる。そして、前記ＣＰＵ１６は、その結果に基づいて、密着型イメージセンサ１１が読み取った画像データをメモリカード１４に保存する際の色数を決定する。例えば、メモリカード１４に記憶されている画像ファイルの画像形式情報を解析した結果、使用可能な色数が８ビット色（２５６色）であった場合、密着型イメージセンサ１１が読み取った画像データをメモリカード１４に保存する際の色数は、８ビット色（２５６色）になる。
【００４９】
続いて、前記ＣＰＵ１６は  前記メモリカード１４に記憶された画像ファイルの画像形式情報をさらに解析し、画像サイズを調べる。そして、前記ＣＰＵ１６は、その結果に基づいて、密着型イメージセンサ１１が読み取った画像データをメモリカード１４に保存する際の画像サイズを決定する。例えば、メモリカード１４に記憶されている画像ファイルの画像形式情報を解析した結果、画像サイズが６４０＊４８０ピクセルであった場合、密着型イメージセンサ１１が読み取った画像データをメモリカード１４に保存する際の画像サイズは６４０＊４８０ピクセルになる。
【００５０】
続いて、前記ＣＰＵ１６は  前記メモリカード１４に記憶された画像ファイルの画像形式情報をさらに解析し、カラー混合色を調べる。そして、前記ＣＰＵ１６は、その結果に基づいて、密着型イメージセンサ１１が読み取った画像データをメモリカード１４に保存する際のカラー混合色を決定し、設定を完了する。例えば、メモリカード１４に記憶されている画像ファイルの画像形式情報を解析した結果、カラー混合色がＲＧＢであった場合、密着型イメージセンサ１１が読み取った画像データをメモリカード１４に保存する際のカラー混合色はＲＧＢになる。
【００５１】
そして、前記ＣＰＵ１６は  解析した結果を画像形式情報専用ファイルとして、ＣＯＮＦ．ＳＹＹというファイル名でメモリカード１４に保存する。この場合、例えば、画像形式情報専用ファイルの内容はＦＩＬＥ＝ＪＰＧ，ＣＯＬＯＲ＝２５６，ＳＩＺＥ＝６４０＊４８０，ＣＯＬＯＲＭＩＸ＝ＲＧＢとなる。
【００５２】
続いて、ユーザが原稿をスキャナ装置１０にセットして、前記原稿の画像の読み取りを行うと、前記原稿の画像データがメモリカード１４に保存される。なお、密着型イメージセンサ１１が読み取った画像データをメモリカード１４に保存する際のファイル形式、色数、画像サイズ及びカラー混合色の設定が完了して待機状態になっているスキャナ装置１０において、ユーザが原稿をスキャナ装置１０にセットしてから原稿の画像データがメモリカード１４に保存されるまでの動作については、前記第１の実施の形態と同一であるので、説明を省略する。
【００５３】
この場合、密着型イメージセンサ１１が読み取った画像データは、ファイル形式はＪＰＥＧ、色は８ビット色（２５６色）、サイズは６４０＊４８０ピクセル、カラー混合色はＲＧＢという設定で変換され、メモリカード１４に保存される。そのため、ユーザが前記メモリカード１４をスキャナ装置１０から取り外し、カメラ付き携帯電話機２０に装着すると、該カメラ付き携帯電話機２０の表示部２１に、前記原稿の画像を表示させることができる。
【００５４】
次に、フローチャートについて説明する。
ステップＳ２１  メモリカード１４がスキャナ装置１０に装着されたか否かを確認する。装着された場合はステップＳ２２に進み、装着されない場合は装着されるまで待機する。
ステップＳ２２  メモリカード１４に記憶された画像形式情報の解析を開始する。
ステップＳ２３  ＣＯＮＦ．ＳＹＹファイルが保存されているか否かを確認する。ＣＯＮＦ．ＳＹＹファイルが保存されている場合はステップＳ２４に進み、ＣＯＮＦ．ＳＹＹファイルが保存されていない場合はステップＳ２５に進む。
ステップＳ２４  ＣＯＮＦ．ＳＹＹファイルの内容によりファイル形式、色数、画像サイズ及びカラー混合色を決定して設定を完了する。
ステップＳ２５  サポートしているファイル形式であるか否かを確認する。サポートしているファイル形式でない場合はステップＳ２６に進み、サポートしているファイル形式である場合はステップＳ２７に進む。
ステップＳ２６  アラーム表示を出し、アラーム終了する。
ステップＳ２７  メモリカード１４に保存する際のファイル形式を決定する。
ステップＳ２８  画像形式情報を解析し、保存する際の色数を決定する。
ステップＳ２９  画像形式情報を解析し、保存する際の画像サイズを決定する。
ステップＳ３０  画像形式情報を解析し、保存する際のカラー混合色を決定して設定を完了する。
ステップＳ３１  画像形式情報専用ファイルの作成及びメモリカード１４への保存を行う。
【００５５】
このように、本実施の形態においては、スキャナ装置１０の読み取り手段としての密着型イメージセンサ１１が読み取った画像データを着脱可能な記憶媒体としてのメモリカード１４に保存する際のファイル形式、色数、画像サイズ及びカラー混合色の設定を自動的に決定するようになっている。この場合、あらかじめメモリカード１４に保存されている画像ファイルの画像形式情報を解析して、前記ファイル形式、色数、画像サイズ及びカラー混合色の設定を決定するだけでなく、さらに、一度解析した画像形式情報を数バイトという小さなデータサイズの環境設定ファイルである画像形式情報専用ファイルとして作成しメモリカード１４に保存するようになっている。そのため、以降においては、画像形式情報専用ファイルを参照するだけでファイル形式、色数、画像サイズ及びカラー混合色の設定を決定することができる。したがって、ファイル形式、色数、画像サイズ及びカラー混合色の設定のために、データサイズが大きい画像ファイルをメモリカード１４に保存する必要がないので、該メモリカード１４の記憶容量を最大限に利用することができる。
【００５６】
なお、前記第１及び第２の実施の形態においては、画像入力装置がスキャナ装置１０である場合についてのみ説明したが、画像入力装置は、画像を入力することができる装置であれば、いかなる種類の装置であってもよく、カメラ付き携帯電話機２０であってもよいし、デジタルスチルカメラ等であってもよい。
【００５７】
また、本発明は前記実施の形態に限定されるものではなく、本発明の趣旨に基づいて種々変形させることが可能であり、それらを本発明の範囲から排除するものではない。
【図面の簡単な説明】
【００５８】
【図１】本発明の第１の実施の形態におけるメモリカードが着脱可能なスキャナ装置及びカメラ付き携帯電話機の斜視図である。
【図２】本発明の第１の実施の形態におけるスキャナ装置の構成を示すブロック図である。
【図３】本発明の第１の実施の形態におけるスキャナ装置の設定の動作を示すフローチャートである。
【図４】本発明の第１の実施の形態における画像データをメモリカードに保存する動作を示すフローチャートである。
【図５】本発明の第２の実施の形態における画像形式情報専用ファイルを利用した場合の動作を示すフローチャートである。
【符号の説明】
【００５９】
１０    スキャナ装置
１１    密着型イメージセンサ
１３    画像処理ＬＳＩ
１４    メモリカード
１６    ＣＰＵ
【図１】
2005191771.tif 000003
【図２】
2005191771.tif 000004
【図３】
2005191771.tif 000005
【図４】
2005191771.tif 000006
【図５】
2005191771.tif 000007
【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
（ａ）画像読み取り手段と、
（ｂ）着脱可能な記憶媒体と、
（ｃ）前記画像読み取り手段が読み取った画像データを前記記憶媒体に記憶させる制御手段とを有する画像入力装置であって、
（ｄ）前記記憶媒体にあらかじめ記憶された画像形式情報の解析を行うデータ解析手段と、
（ｅ）該データ解析手段の解析結果に基づいて、前記画像読み取り手段が読み取った画像データの変換を行うデータ変換手段とを有し、
（ｆ）前記制御手段は、前記データ変換手段によって変換された画像データを前記記憶媒体に記憶させることを特徴とする画像入力装置。
【請求項２】
前記画像形式情報はファイル形式を表す請求項１に記載の画像入力装置。
【請求項３】
前記画像形式情報は色数を表す請求項１に記載の画像入力装置。
【請求項４】
前記画像形式情報は画像サイズを表す請求項１に記載の画像入力装置。
【請求項５】
前記画像形式情報はカラー混合色を表す請求項１に記載の画像入力装置。
【請求項６】
前記制御手段は、前記データ解析手段の解析結果を画像形式情報専用ファイルとして前記記憶媒体に記憶させる請求項１〜５のいずれか１項に記載の画像入力装置。
【請求項７】
（ａ）着脱可能な記憶媒体と、入力された画像データを前記記憶媒体に記憶させる書き込み手段とを有する画像処理装置であって、
（ｂ）前記記憶媒体にあらかじめ記憶された画像情報を解析するデータ解析手段と、
（ｃ）該データ解析手段の解析結果に基づいて、前記画像データを変換するデータ変換手段とを有し、
（ｄ）前記書き込み手段は、前記データ変換手段によって変換された画像データを前記記憶媒体に記憶させることを特徴とする画像処理装置。
【請求項８】
（ａ）前記解析結果は、前記画像情報の画像形式を示すものであり、
（ｂ）前記データ変換手段は、前記画像データを前記画像形式に変換する請求項７に記載の画像処理装置。
【手続補正３】
【補正対象書類名】明細書
【補正対象項目名】０００１
【補正方法】変更
【補正の内容】
【０００１】
本発明は、画像入力装置及び画像処理装置に関するものである。
【手続補正４】
【補正対象書類名】明細書
【補正対象項目名】０００６
【補正方法】変更
【補正の内容】
【０００６】
本発明は、前記従来の画像入力装置の問題点を解決して、着脱可能な記憶媒体に記憶された画像データの画像形式情報を読み取り、画像読み取り手段が読み取った画像データを前記画像形式情報に適合する形式に変換するようにして、画像読み取り手段が読み取った画像データを他の機器において適合するように自動的に変換することができ、ユーザが変換の仕方を設定する必要がなく、短時間で、かつ、容易に画像データを着脱可能な記憶媒体に保存することができる画像入力装置及び画像処理装置を提供することを目的とする。